(57)【特許請求の範囲】
【請求項１】
道路に沿って設置された第１誘導標識及び第２誘導標識を用いて避難者を誘導する誘導方法であって、
前記第１誘導標識を、所定の道路区間の開始地点を示す表示を設けて所定の海抜地点に設置し、
前記第２誘導標識を、前記所定の道路区間の終了地点を示す表示を設けて、前記所定の海抜地点以上の海抜地点に設置し、
前記第１誘導標識及び前記第２誘導標識を、前記道路における車の進行方向に順次並ぶように設置して、前記所定の海抜地点未満の海抜地点を含む前記所定の道路区間を浸水が想定される区間とし、
前記第１誘導標識を終了地点とする前記所定の海抜地点以上の海抜地点である前記所定の道路区間外、及び前記第２誘導標識を開始地点とする前記所定の海抜地点以上の海抜地点である前記所定の道路区間外を避難区間として、避難者を誘導する
誘導方法。
【請求項２】
前記所定の道路区間は、津波発生時に浸水が想定される区間であり、
前記誘導方法は、前記津波発生時に避難者を誘導する
請求項１に記載の誘導方法。
【請求項３】
前記所定の道路区間において、前記所定の道路区間であることを示す標示を路面に設ける
請求項１又は２に記載の誘導方法。
【請求項４】
所定の道路区間外を避難区間として避難者を誘導する誘導システムであって、
道路に沿って設置された第１誘導標識及び第２誘導標識を備え、
前記第１誘導標識は、前記所定の道路区間の開始地点を示す表示が設けられ、所定の海抜地点に設置され、
前記第２誘導標識は、前記所定の道路区間の終了地点を示す表示が設けられ、前記所定の海抜地点以上の海抜地点に設置され、
前記第１誘導標識及び前記第２誘導標識は、前記道路における車の進行方向に順次並ぶように設置されて、前記所定の海抜地点未満の海抜地点を含む前記所定の道路区間を浸水が想定される区間とし、
前記第１誘導標識を終了地点とする前記所定の海抜地点以上の海抜地点である前記所定の道路区間外、及び前記第２誘導標識を開始地点とする前記所定の海抜地点以上の海抜地点である前記所定の道路区間外を避難区間とする誘導システム。
【発明の詳細な説明】
【技術分野】
【０００１】
本発明は、誘導方法及び誘導システムに関し、特に津波発生時に避難場所に車で避難者を誘導する誘導方法及び誘導システムに関する。
【背景技術】
【０００２】
災害発生時に、歩行者又は避難者を安全な避難場所に誘導するため、従来から図形や文字等が描かれた誘導標識が設置されている。特に、海沿いの地域においては、津波の発生時の浸水範囲を想定し、浸水する可能性の低い高台に避難者を誘導するための矢印等が描かれた誘導標識や、現在地の海抜が表された誘導標識が設置されている。
【０００３】
例えば、特許文献１には、支柱と、この支柱の上部正面に設けられ、海抜表示、現在地表示、避難場所表示及び距離表示が描かれた標識部と、この標識部の各表示を夜間において照らすＬＥＤとを備える避難誘導標が開示されている。
【先行技術文献】
【特許文献】
【０００４】
【特許文献１】登録実用新案第３１２０７８８号公報
【発明の概要】
【発明が解決しようとする課題】
【０００５】
ところで、津波発生時に特許文献１の避難誘導標を用いて避難誘導を行う場合、高台の公園等の各種施設に避難者が誘導される。従って、避難場所には自動二輪車及び自動四輪車等の車を簡易に乗り入れることができず、車での避難を行うことは困難である。その結果、避難場所への移動に時間を要することなり、迅速な避難を可能にする誘導方法が求められている。
【０００６】
また、現在最も危惧される災害である南海トラフ地震の政府予測によると数十分で数十メートルの津波が襲来するとされており、津波襲来までの限られた時間の中で、少しでも迅速に安全な場所に避難誘導することが人々の命を救うことに繋がる。従って、迅速な避難を可能にする誘導方法が求められている。
【０００７】
また、従来の避難誘導方策は歩行者向けであり、東日本大震災では車による津波避難が滞ったことによって多くの方が被災したことからも、迅速な車での避難を可能にする誘導方法が求められている。
そこで、本発明は、かかる問題点に鑑み、津波発生時に車での避難を可能にする誘導方法及び誘導システムを提供することを目的とする。
【課題を解決するための手段】
【０００８】
上記目的を達成するために、本発明の一態様に係る誘導方法は、道路に沿って設置された第１誘導標識及び第２誘導標識を用いて避難者を誘導する誘導方法であって、前記第１誘導標識を、所定の道路区間の開始地点を示す表示を設けて所定の海抜地点に設置し、前記第２誘導標識を、前記所定の道路区間の終了地点を示す表示を設けて、前記所定の海抜地点以上の海抜地点に設置し、前記第１誘導標識及び前記第２誘導標識を、前記道路における車の進行方向に順次並ぶように設置して、前記所定の海抜地点未満の海抜地点を含む前記所定の道路区間を浸水が想定される区間とし、前記第１誘導標識を終了地点とする前記所定の海抜地点以上の海抜地点である前記所定の道路区間外、及び前記第２誘導標識を開始地点とする前記所定の海抜地点以上の海抜地点である前記所定の道路区間外を避難区間として、避難者を誘導することを特徴とする。
ここで、前記所定の道路区間は、津波発生時に浸水が想定される区間であり、前記誘導方法は、前記津波発生時に避難者を誘導してもよい。
また、前記所定の道路区間において、前記所定の道路区間であることを示す標示を路面に設けてもよい。
【０００９】
また、本発明の一態様に係る誘導システムは、所定の道路区間外を避難区間として避難者を誘導する誘導システムであって、道路に沿って設置された第１誘導標識及び第２誘導標識を備え、前記第１誘導標識は、前記所定の道路区間の開始地点を示す表示が設けられ、所定の海抜地点に設置され、前記第２誘導標識は、前記所定の道路区間の終了地点を示す表示が設けられ、前記所定の海抜地点以上の海抜地点に設置され、前記第１誘導標識及び前記第２誘導標識は、前記道路における車の進行方向に順次並ぶように設置されて、前記所定の海抜地点未満の海抜地点を含む前記所定の道路区間を浸水が想定される区間とし、前記第１誘導標識を終了地点とする前記所定の海抜地点以上の海抜地点である前記所定の道路区間外、及び前記第２誘導標識を開始地点とする前記所定の海抜地点以上の海抜地点である前記所定の道路区間外を避難区間とすることを特徴とする。
【発明の効果】
【００１０】
本発明によれば、津波発生時に車での避難を可能にする誘導方法及び誘導システムを実現することができる。
【図面の簡単な説明】
【００１１】
【図１】本発明の実施形態に係る誘導システムの全体構成を示す図である。
【図２】本発明の実施形態に係る誘導システムの全体構成を示す図である。
【図３】本発明の実施形態に係る第１誘導標識及び第２誘導標識の詳細な構成を示す図である。
【発明を実施するための形態】
【００１２】
以下、本発明の実施形態について、図面を用いて詳細に説明する。
まず、本発明の実施形態に係る誘導方法を実現する誘導システムの全体構成について、図１〜２を用いて説明する。
【００１３】
図１及び図２は、本実施形態に係る誘導システムの全体構成を示す図である。なお、図１（ａ）は津波発生前の状態を示し、図１（ｂ）は津波発生後の状態を示している。
【００１４】
本実施形態に係る誘導方法は、津波発生時に、浸水が想定される道路区間（津波浸水想定区間）Ｂに居る者に対し、津波浸水想定区間Ｂ外の道路区間である避難区間Ｄに向けて、車４０での避難誘導を促す方法である。この誘導方法を実現する誘導システムは、津波浸水想定区間Ｂの道路３０に沿って配置された２種類の誘導標識である第１誘導標識１０及び第２誘導標識２０と、津波浸水想定区間Ｂの路面に形成された区域表示５１及び５４、開始標示５２並びに終了標示５３とから構成されている。
【００１５】
第１誘導標識１０及び第２誘導標識２０は、車４０の進行方向Ａに順次並んで設置されており、第１誘導標識１０及び第２誘導標識２０で挟まれる道路区間が津波浸水想定区間Ｂであることを示している。車の進行方向Ａにおいて、第１誘導標識１０は津波浸水想定区間Ｂの開始地点に設置されて津波浸水想定区間Ｂの始まりを避難者に示し、第２誘導標識２０は津波浸水想定区間Ｂの終了地点に設置されて津波浸水想定区間Ｂの終わりを避難者に示している。なお、車４０の進行方向Ａとは、車４０が走行する道路３０において法律で定められた車４０の進行方向をいい、異なる進行方向の複数のレーンから構成される道路３０においては、第１誘導標識１０及び第２誘導標識２０に最も近い位置に設けられたレーンの進行方向をいう。
【００１６】
第２誘導標識２０は、例えば津波浸水想定区間Ｂの全ての区間が第２誘導標識２０の海抜地点以下となるように、第１誘導標識１０の設置地点に対して等しい海抜地点、より好ましくは第１誘導標識１０の設置地点より高い海抜地点に設置されている。例えば、第１誘導標識１０の設置位置としては、海抜０ｍの地点とすることもできるし、国又は市町村が発表している津波浸水予想図が示す浸水予想地域の外縁と道路が交差する地点とすることもできる。
【００１７】
区域表示５１は、津波浸水想定区間Ｂであることを示す路面標示であり、進行方向Ａに連続する複数の黒塗り「□」の図形により構成されている。一方、区域表示５４も、津波浸水想定区間Ｂであることを示す路面標示であるが、「津波浸水想定箇所」の文字により構成されている。このように、区域表示５１は、津波浸水想定区間Ｂの開始地点及び終了地点だけでなく、津波浸水想定区間Ｂ内の中間地点でも津波浸水想定区間Ｂであることを表示することができるので、迅速な避難を実現することができる。
【００１８】
なお、区域表示５１の図形は、第１誘導標識１０及び第２誘導標識２０からの距離に応じて変更されてもよいし、その間隔が変更されてもよい。例えば、第１誘導標識１０及び第２誘導標識２０からの距離が離れるにしたがって、区域表示５１の図形の間隔が近づけられてもよい。これにより、津波浸水想定区間Ｂを走行する車４０の運転者は、あとどれくらいで津波浸水想定区間Ｂを抜け出し、避難区間Ｄに到達できるかを走行しながら容易に認識することができる。
【００１９】
開始標示５２は、津波浸水想定区間Ｂの開始地点であることを示す路面標示であり、進行方向Ａと交差する方向に連続する黒塗り「□」の図形と、「ここから」の文字とにより構成されている。一方、終了標示５３は、津波浸水想定区間Ｂの終了地点であることを示す路面標示であり、進行方向Ａと交差する方向に連続する黒塗り「□」の図形と、「ここまで」の文字とにより構成されている。
【００２０】
以上の構成を持つ誘導システムでは、津波浸水想定区間Ｂを走行する、又は津波浸水想定区間Ｂに停車する車４０が存在する場面において、津波が発生して津波浸水想定区間Ｂが浸水すると仮定する。この場合、図１（ａ）及び図１（ｂ）に示すように、津波浸水想定区間Ｂの車４０は、第１誘導標識１０及び第２誘導標識２０に基づいて進行方向Ａに運転し、第２誘導標識２０を境目として始まる避難区間Ｄへの避難を行うことができる。
なお、避難区間Ｄへの避難後は、場所や自治体の方針に応じて、車を避難区間Ｄに駐車し別の場所に徒歩避難してもよい。
【００２１】
また、津波避難における安全な場所とは、津波が襲来した際に浸水しない場所であり、そこが道路上のある区間であればそこに留まることも避難であり、津波発生時に津波浸水想定区間に侵入させないことが重要である。従って、津波発生時に、避難区間Ｄを走行する、又は避難区間Ｄに停車する車４０については、第１誘導標識１０及び第２誘導標識２０に基づいて避難区間Ｄであることを認識し、その場に留まることで避難を行うことができる。
次に、第１誘導標識１０及び第２誘導標識２０の詳細な構成について説明する。
【００２２】
図３は、第１誘導標識１０及び第２誘導標識２０の詳細な構成を示す図である。なお、図３（ａ）は第１誘導標識１０の正面図を示し、図３（ｂ）は第２誘導標識２０の正面図を示し、図３（ｃ）は第１誘導標識１０及び第２誘導標識２０の側面図を示している。
【００２３】
第１誘導標識１０は、道路３０に設置された支柱１１と、支柱１１の側面に取り付けられた表示板１２及び１３とから構成されている。表示板１２及び１３は、その表面に文字、図形及び記号等が描かれた看板である。第１誘導標識１０は、津波浸水想定区間Ｂを進行方向Ａに進行する車４０の運転者が表示板１２及び１３の表面を視認可能であるように、その正面を進行方向Ａに向けて配置されている。このとき、車４０の運転者が表示板１２の表面を視認容易であるように、表示板１２の高さ、例えば表示板１２の中心位置の高さは、車４０の運転者の視点高さと略同じ高さ、例えば１２００ｍｍであることが好ましい。
【００２４】
同様に、第２誘導標識２０は、道路３０に設置された支柱２１と、支柱２１の側面に取り付けられた表示板２２及び２３とから構成されている。表示板２２及び２３は、その表面に文字、図形及び記号等が描かれた看板である。第２誘導標識２０は、津波浸水想定区間Ｂを進行方向Ａに進行する車４０の運転者が表示板２２及び２３の表面を視認可能であるように、正面を進行方向Ａに向けて配置されている。このとき、車４０の運転者が表示板１２の表面を視認容易であるように、表示板２２の高さ、例えば表示板２２の中心位置の高さは、車４０の運転者の視点高さと略同じ高さであることが好ましい。
【００２５】
表示板１２及び２２は、同じ内容を示しており、共に「津波浸水想定区間」の文字及びそれを示す「△」の図形により第１誘導標識１０及び第２誘導標識２０で挟まれる区間が津波浸水想定区間Ｂであることを示している。一方、表示板１３及び２３は異なる内容を示している。具体的に、表示板１３は「ここから▽」の文字及び図形により第１誘導標識１０の設置された地点が津波浸水想定区間Ｂの開始地点であることを示している。そして、表示板２３は「ここまで▽」の文字及び図形により第２誘導標識２０の設置された地点が津波浸水想定区間Ｂの終了地点であることを示している。表示板１２及び２２を同じ内容のものとすることにより、第１誘導標識１０及び第２誘導標識２０で表示板を共用することができ、コストを低減することができる。
【００２６】
ここで、第１誘導標識１０及び第２誘導標識２０は、車４０の運転者の目線高さ（例えば１２００ｃｍ）に、表示板１２、１３、２２及び２３を有することが好ましい。これにより、例えば車道の建築限界によって４５００ｃｍの高所に設置されたＦ型標識を表示板とする場合に比較して、車４０の運転者による第１誘導標識１０及び第２誘導標識２０の情報入手を容易にすることができる。津波襲来地域の多くが平坦かつ直線の道路線形ではないため、水平に視程距離をもって標識を見ることができず、高所の情報は見づらい状況にある。さらには、基本的に人間の目線は下を見るようにできており、例えば車４０の運転者の標準視線は−１５度であり、高所の情報は注意しないと入手し難い状況にある。従って、このような構成を採用することにより、命に関わる情報を、車４０の運転者に高確率で提供することが可能になる。
【００２７】
なお、第１誘導標識１０及び第２誘導標識２０のそれぞれには、津波浸水想定区間Ｂであることを示す表示板と、津波浸水想定区間Ｂの開始地点又は終了地点であることを示す表示版とを別々に設けたが、これらを一体化して１つの表示板を設けてもよい。
【００２８】
以上のように本実施形態に係る誘導方法は、道路３０に沿って設置された第１誘導標識１０及び第２誘導標識２０を用いて避難者を誘導する誘導方法である。そして、この誘導方法では、第１誘導標識１０を、所定の道路区間としての津波浸水想定区間Ｂの開始地点を示す表示を設けて所定の海抜地点に設置する。そして、第２誘導標識２０を、津波浸水想定区間Ｂの終了地点を示す表示を設けて所定の海抜地点以上の海抜地点に設置する。そして、第１誘導標識１０及び第２誘導標識２０を、道路３０における車４０の進行方向Ａに順次並ぶように設置し、津波浸水想定区間Ｂ外を避難区間Ｄとして、避難者を誘導する。
ここで、本実施形態に係る誘導方法では、津波浸水想定区間Ｂは、津波発生時に浸水が想定される区間であり、誘導方法は、津波発生時に避難者を誘導する。
【００２９】
このような構成により、第２誘導標識２０側で津波浸水想定区間Ｂと連続する道路区間（避難区間Ｄ）を津波発生時の避難場所として避難誘導を行うことができる。従って、津波浸水想定区間Ｂに居る者は、車４０で道路３０を走行して避難場所に車４０を乗り入れる形で避難を行うことができる。その結果、迅速な避難を実現することができる。
【００３０】
また、津波発生時に津波浸水想定区間Ｂの道路３０を走行していた車４０は、向きを変えることなくそのままの状態で走行して海抜地点の高い避難場所に避難することができ、安全な避難場所への迅速な避難を実現することができる。
【００３１】
また、本実施形態に係る誘導方法では、津波浸水想定区間Ｂにおいて、津波浸水想定区間Ｂであることを示す区域表示５１及び５４、開始標示５２並びに終了標示５３を路面に設ける。
【００３２】
このような構成により、津波発生時に避津波浸水想定区間Ｂに居る者は、区域表示５１及び５４、開始標示５２並びに終了標示５３により、自身の居る区間が浸水の想定される区間であることを早期に認識し、より迅速な避難を実現することができる。
【００３３】
また、本実施形態に係る誘導システムは、所定の道路区間である津波浸水想定区間Ｂ外の道路区間を避難区間Ｄとして避難者を誘導する誘導システムである。そして、この誘導システムは、道路３０に沿って設置された第１誘導標識１０及び第２誘導標識２０を備える。そして、第１誘導標識１０は、津波浸水想定区間Ｂの開始地点を示す表示が設けられ、所定の海抜地点に設置される。そして、第２誘導標識２０は、津波浸水想定区間Ｂの終了地点を示す表示が設けられ、所定の海抜地点以上の海抜地点に設置される。そして、第１誘導標識１０及び第２誘導標識２０は、道路３０における車４０の進行方向Ａに順次並ぶように設置される。
【００３４】
このような構成により、車４０で道路３０を走行して避難場所に車４０を乗り入れる形で避難を行うことができ、迅速な避難を実現することができる。また、安全な避難場所への迅速な避難を実現することができる。
【００３５】
以上、本発明の誘導方法及び誘導システムについて、実施形態に基づいて説明したが、本発明は、この実施形態に限定されるものではない。本発明の要旨を逸脱しない範囲内で当業者が思いつく各種変形を施したものも本発明の範囲内に含まれる。
【００３６】
例えば、上記実施形態において、津波浸水想定区間Ｂ内の道路３０に沿って津波浸水想定区間Ｂであることを示す標識が設けられてもよい。この標識としては、例えば、第１誘導標識１０及び第２誘導標識２０の表示板１２及び２２の内容を変更したもの、例えば表示板１２及び２２の色を変更し、表示板１３及び２３の内容を第１誘導標識１０及び第２誘導標識２０から当該標識までの距離としたものを用いることができる。また、津波浸水想定区間Ｂ内の道路３０に沿って既に設置されているデリネータ等の表面に津波浸水想定区間Ｂであることを示す表示が設けられたものを用いることもできる。この場合には、標識の設置コストを低減することができる。
【産業上の利用可能性】
【００３７】
本発明は、津波発生時に避難場所に車で避難者を誘導する誘導方法及び誘導システム等において広く利用することができる。
【符号の説明】
【００３８】
１０    第１誘導標識
１１、２１    支柱
１２、１３、２２、２３    表示板
２０    第２誘導標識
３０    道路
４０    車
５１、５４    区域表示
５２    開始標示
５３    終了標示
【図１】
0006474974.tif 000002
【図２】
0006474974.tif 000003
【図３】
0006474974.tif 000004